(57)【要約】【課題】  容易な作業でワイヤに張力を付与してガイド部を固定することができるワイヤ式ウインドウレギュレータのワイヤガイド構造を提供する。【解決手段】  ガイドレール１に固定されたベース部１１に組み合わせられているガイド部３の開口２４へ、インサート部１２をガイドレール１の面直方向Ｂで挿入するだけで、ガイド部３が長手方向Ａの外側へ移動するため、ガイド部２、３に掛け回されたワイヤ７に張力を確実に付与することができる。インサート部１２の面直方向Ｂへの挿入力が、ガイド部３の長手方向Ａの外側への移動力に変換されるため、作業が容易である。また、ガイド部３の開口２４内に挿入された状態のインサート部１２を、ボルト１３と雌ねじ部２９の螺合により保持するだけで、ワイヤ７の張力付与方向へ移動させたガイド部３の位置も保持される。【選択図】        図１１
2007218044.tif 000002
【特許請求の範囲】
【請求項１】
ループ状のワイヤが掛け回される上下方向に長いガイドレールの上下両端部の少なくとも一方側にベース部を固定し、
ワイヤが摺動自在に支持され且つガイドレールの面直方向で貫通する開口が形成されたガイド部を、ベース部に対してガイドレールの長手方向で移動自在に組み合わせ、
ガイド部の開口内に、ベース部にガイドされて前記面直方向で挿入自在なインサート部を設け、
開口の内面及びインサート部の外面の少なくとも一方に、インサート部を開口内へ挿入する際に他方側へ斜めに当接してガイド部をガイドレールの長手方向外側に移動させる傾斜面を形成し、
ベース部とインサート部との間に、インサート部の開口内への挿入状態を保持するロック手段を設けたことを特徴とするワイヤ式ウインドウレギュレータのワイヤガイド構造。
【請求項２】
請求項１に記載のワイヤ式ウインドウレギュレータのワイヤガイド構造であって、
ロック手段が、ガイドレール及びベース部を貫通した状態でガイド部の開口内へ面直方向に沿った状態で突出するボルトと、インサート部に形成された雌ねじ部とから構成され、
ボルトを雌ねじ部に螺合させた状態で回転させることにより、インサート部の開口内への面直方向に沿った挿入力が得られると共に、ボルトと雌ねじ部との螺合によりインサート部の開口内への挿入状態が保持されることを特徴とするワイヤ式ウインドウレギュレータのワイヤガイド構造。
【請求項３】
請求項１又は請求項２に記載のワイヤ式ウインドウレギュレータのワイヤガイド構造であって、
ガイドレールにベース部に対して長手方向内側から当接する切起部を形成したことを特徴とするワイヤ式ウインドウレギュレータのワイヤガイド構造。
【発明の詳細な説明】
【技術分野】
【０００１】
本発明は、ワイヤ式ウインドウレギュレータのワイヤガイド構造に関するものである。
【背景技術】
【０００２】
従来のワイヤ式ウインドウレギュレータのワイヤガイド構造としては、自動車のドアに組付けたガイドレールの上下両端部に、半円形状のガイド部を互いの湾曲部を上下両端側へ向けた対向状態で設け、該ガイド部の湾曲部にループ状のワイヤを掛け回している。ワイヤの途中はガイドレールに案内される上下動自在なキャリアプレートに係止され、該キャリアプレートにウインドウパネルが取付けられている。ワイヤの一部はモータ駆動のドラムに巻き付けられている。従って、ドラムを回転させ、ガイド部に掛け回されたワイヤを上下に駆動させることで、キャリアプレートがウインドウパネルごと上下動するようになっている。
【０００３】
ワイヤに張力がないと、ワイヤに対してドラムがスリップして確実なワイヤ駆動が行えなくなる。そのため、上下のガイド部の少なくとも一方はガイドレールの長手方向において位置調整自在となっており、ガイド部にワイヤを掛け回した後に、その一方のガイド部をワイヤに張力を付与させる方向（長手方向外側）へ移動させる。そして、移動したその位置で、ガイド部とガイドレールとを、両方を貫通するシャフトを加締めた強固な構造により固定する（例えば、特許文献１参照）。
【特許文献１】特開平９−３２４１３号公報
【発明の開示】
【発明が解決しようとする課題】
【０００４】
しかしながら、このような従来の技術にあっては、ワイヤをガイド部に掛け回した後、ワイヤに張力を付与するにあたり、ガイド部を長手方向外側へ引っ張りながらシャフトによるカシメ作業で固定するため、作業が大変に困難である。
【０００５】
本発明は、このような従来の技術に着目してなされたものであり、容易な作業でワイヤに張力を付与してガイド部を固定することができるワイヤ式ウインドウレギュレータのワイヤガイド構造を提供するものである。
【課題を解決するための手段】
【０００６】
請求項１に記載の発明は、ループ状のワイヤが掛け回される上下方向に長いガイドレールの上下両端部の少なくとも一方側にベース部を固定し、ワイヤが摺動自在に支持され且つガイドレールの面直方向で貫通する開口が形成されたガイド部を、ベース部に対してガイドレールの長手方向で移動自在に組み合わせ、ガイド部の開口内に、ベース部にガイドされて前記面直方向で挿入自在なインサート部を設け、開口の内面及びインサート部の外面の少なくとも一方に、インサート部を開口内へ挿入する際に他方側へ斜めに当接してガイド部をガイドレールの長手方向外側に移動させる傾斜面を形成し、ベース部とインサート部との間に、インサート部の開口内への挿入状態を保持するロック手段を設けたことを特徴とする。
【０００７】
請求項２に記載の発明は、ロック手段が、ガイドレール及びベース部を貫通した状態でガイド部の開口内へ面直方向に沿った状態で突出するボルトと、インサート部に形成された雌ねじ部とから構成され、ボルトを雌ねじ部に螺合させた状態で回転させることにより、インサート部の開口内への面直方向に沿った挿入力が得られると共に、ボルトと雌ねじ部との螺合によりインサート部の開口内への挿入状態が保持されることを特徴とする。
【０００８】
請求項３に記載の発明は、ガイドレールにベース部に対して長手方向内側から当接する切起部を形成したことを特徴とする。
【発明の効果】
【０００９】
請求項１に記載の発明によれば、ガイドレールに固定されたベース部に組み合わせられているガイド部の開口へ、インサート部をガイドレールの面直方向で挿入するだけで、ガイド部が長手方向外側へ移動するため、ガイド部に掛け回されたワイヤに張力を付与することができる。インサート部の面直方向への挿入力が、ガイド部の長手方向外側への移動力に変換されるため、作業が容易である。また、ガイド部の開口内に挿入された状態のインサート部をロック手段で保持するだけで、ワイヤの張力付与方向へ移動させたガイド部の位置も保持される。従って、従来のようにガイド部をガイドレールに対してカシメ作業等により直接的に固定する必要がなく、この点においても、作業が容易である。
【００１０】
請求項２に記載の発明によれば、ロック手段が、ボルトと、ガイド部の雌ねじ部により構成されており、ボルトを雌ねじ部に螺合させた状態で回転させることにより、インサート部の開口内への面直方向に沿った挿入力が得られると共に、ボルトと雌ねじ部との螺合によりインサート部の開口内への挿入状態が保持されるため、作業が容易である。
【００１１】
請求項３に記載の発明によれば、ガイドレールにベース部に対して長手方向内側から当接する切起部を形成したため、張力付与後にワイヤからガイド部に加わる長手方向内側への反力を切起部で受け止めて、ガイド部のガイドレールに対する固定状態を更に確実なものにすることができる。
【発明を実施するための最良の形態】
【００１２】
本発明は、容易な作業でワイヤに張力を付与してガイド部を固定することができるワイヤ式ウインドウレギュレータのワイヤガイド構造を提供するという目的を、ループ状のワイヤが掛け回される上下方向に長いガイドレールの上下両端部の少なくとも一方側にベース部を固定し、ワイヤが摺動自在に支持され且つガイドレールの面直方向で貫通する開口が形成されたガイド部を、ベース部に対してガイドレールの長手方向で移動自在に組み合わせ、ガイド部の開口内に、ベース部にガイドされて前記面直方向で挿入自在なインサート部を設け、開口の内面及びインサート部の外面の少なくとも一方に、インサート部を開口内へ挿入する際に他方側へ斜めに当接してガイド部をガイドレールの長手方向外側に移動させる傾斜面を形成し、ベース部とインサート部との間に、インサート部の開口内への挿入状態を保持するロック手段を設けたことで、実現した。以下、本発明の実施例を図面に基づいて説明する。
【実施例】
【００１３】
図１〜図１２は、本発明の一実施例を示す図である。図１は、自動車の左ドアに設けられたワイヤ式ウインドウレギュレータを車外側から見た側面図である。ガイドレール１は若干後傾した状態で、ドアの内部に図示せぬ固定金具を介して上下方向に固定されている。ガイドレール１の上下両端部には、概略半円形状のガイド部２、３が上下に向かい合った状態で取付けられている。上側のガイド部２は一部品から成る単純構造で、ガイドレール１に単に固定されているだけである。下側のガイド部３の構造については後述する。
【００１４】
ガイドレール１の途中には、ブラケット４を介してモータ５が固定されている。ブラケット４にはモータ５により回転するドラム６が取付けられ、該ドラム６にワイヤ７の一部が巻回されている。
【００１５】
ガイドレール１にはキャリアプレート８が上下動自在に係合されている。上下のガイド部２、３に掛け回されたワイヤ７の両端部は、それぞれキャリアプレート８に係止されている。そして、このキャリアプレート８に一対のホルダ９を介して、ウインドウパネル１０の下端部が支持されている。従って、モータ５によりドラム６を回転させてワイヤ７を上下に駆動させると、キャリアプレート８がウインドウパネル１０ごとガイドレール１の長手方向Ａに沿って上下動する。
【００１６】
次に、下側のガイド部３の構造及びガイドレール１への取付け方について説明する。ガイド部３の取付けには、ベース部１１、インサート部１２、ボルト１３が用いられる。
【００１７】
ガイド部３を取付けるガイドレール１は断面ハット形状をしており、下端部には角形の切欠１４が形成されている。切欠１４の上端には、ガイドレール１の面直方向Ｂに向いた切起部１５が形成されている。切起部１５には円孔１６が形成されている。ガイドレール１の下端末には一対の小さな凹部１７が形成されている。
【００１８】
このようなガイドレール１の下端部に対して、まず最初にベース部１１が裏側から取付けられる。ベース部１１の裏面側には、ボルト１３を挿入するためのボルト孔１８が形成されている。また、ベース部１１には３枚の立壁１９、２０、２１が形成されている。上側の２枚の立壁１９、２０は、ベース部１１を取付けた状態で切欠１４から表側に突出する。そして、一番上側の立壁１９に対してガイドレール１の切起部１５が上側（長手方向Ａの内側）から当接した状態となる。
【００１９】
下側の１枚の立壁２１はガイドレール１の下端末の凹部１７へ係合する。上下両側の立壁１９、２１には互いに向きが相違した弾性爪部２２、２３が形成され、これらの弾性爪部２２、２３が、ガイドレール１の下端末と、切起部１５の円孔１６に、それぞれ係合することにより（図７参照）、ベース部１１はガイドレール１に対して固定された状態となる。
【００２０】
ガイド部３の中央には開口２４が形成されている。開口２４の長手方向サイズＬ１は、切欠１４内に突出した２枚の立壁１９、２０と切起部１５の厚さを含む長手方向サイズＬ２よりも大きく設定されている（図８参照）。従って、ベース部１１をガイドレール１に固定した後、次にガイド部３の開口２４を、立壁１９、２０及び切起部１５に対してセットすることができる。セット後のガイド部３は、前記長手方向サイズＬ１、Ｌ２間の差の分だけ、立壁１９、２０及び切起部１５に対して、ガイドレール１の長手方向Ａにおいて移動可能となる。
【００２１】
ガイド部３は最初は最も長手方向Ａの内側（上側）に位置した状態とされ、その状態でガイド部３の湾曲部２５に形成された溝部２６でワイヤ７を支持している。この状態でワイヤ７は弛んだ状態で、張力はまだ付与されていない。溝部２６の一部にはワイヤ７の外れを防止するストッパ２７が形成されているため、弛んだ状態でも外れない。
【００２２】
開口２４の長手方向Ａの外側（下側）の内面には、その両側部位に、裏側へ向けて漸次長手方向Ａの内側（上側）に傾いた傾斜面２８が形成されている。立壁１９、２０、２１のうち、真ん中の立壁２０は幅が狭く、前記開口２４の傾斜面２８に対応する部分には、立壁２０は存在しない。
【００２３】
このような傾斜面２８が形成されたガイド部３の開口２４に対して、ガイドレール１の面直方向Ｂで挿入されるのがインサート部１２である。インサート部１２には中央には雌ねじ部２９が貫通状態で形成され、その両側に前記開口２４の傾斜面２８に相応する傾斜面３０が形成されている。
【００２４】
開口２４内の２枚の立壁１９、２０の間には、ベース部１１の裏面側のボルト孔１８から予め挿入されたボルト１３が位置しており、そのボルト１３の先端に、開口２４内に挿入したインサート部１２の雌ねじ部２９を螺合させる。この実施例では、互いに螺合させたボルト１３と雌ねじ部２９により「ロック手段」が形成される。ボルト１３の頭部には六角穴３１がされており、その六角穴３１にレンチ３２を挿入して、ボルト１３を締め付け方向に回転させる。
【００２５】
ボルト１３を回転させると、ボルト１３とインサート部１２の雌ねじ部２９との螺合が進み、インサート部１２が開口２４内へ徐々に挿入される。インサート部１２の雌ねじ部２９が形成された中央部は、２枚の立壁１９、２０の間に挟まれた状態で、且つボルト１３にガイドされて、真っ直ぐ面直方向Ｂに挿入される。
【００２６】
ガイド部３が開口２４内に挿入されるに伴って、ガイド部３の傾斜面３０が、開口２４内の傾斜面２８を長手方向Ａの外側（下側）へ押すため、ガイド部３は長手方向Ａの外側へ移動してワイヤ７に張力を付与することができる。
【００２７】
インサート部１２を開口２４内へ最大に挿入した状態でボルト１３の回転を中止し、レンチ３２を外す。ボルト１３と雌ねじ部２９の螺合により、レンチ３２を外しても、インサート部１２の開口２４内への挿入状態は保持され、ワイヤ７への張力付与状態も維持される。
【００２８】
以上説明したように、この実施例によれば、ガイドレール１に固定されたベース部１１に組み合わせられているガイド部３の開口２４へ、インサート部１２をガイドレール１の面直方向Ｂで挿入するだけで、ガイド部３が長手方向Ａの外側へ移動するため、ガイド部２、３に掛け回されたワイヤ７に張力を確実に付与することができる。
【００２９】
インサート部１２の面直方向Ｂへの挿入力が、ガイド部３の長手方向Ａの外側への移動力に変換されるため、作業が容易である。また、ガイド部３の開口２４内に挿入された状態のインサート部１２を、ボルト１３と雌ねじ部２９の螺合により保持するだけで、ワイヤ７の張力付与方向へ移動させたガイド部３の位置も保持される。従って、従来のようにガイド部３をガイドレール１に対してカシメ作業等により直接的に固定する必要がないため、作業が容易である。
【００３０】
特に、ボルト１３と雌ねじ部２９とからロック手段を形成し、ボルト１３を雌ねじ部２９に螺合させた状態で回転させることにより、インサート部１２の開口２４内への面直方向Ｂに沿った挿入力が得られると共に、ボルト１３と雌ねじ部２９との螺合によりインサート部１２の開口２４内への挿入状態が保持されるため、作業が容易である。
【００３１】
また、ガイドレール１にベース部１１の立壁１９に対して長手方向Ａの内側から当接する切起部１５を形成したため、張力付与後にワイヤ７からガイド部３に加わる長手方向Ａの内側への反力を、立壁１９を介して切起部１５で受け止めて、ガイド部３のガイドレール１に対する固定状態を更に確実なものにすることができる。
【産業上の利用可能性】
【００３２】
以上の実施例では、下側のガイド部３のみワイヤ７の張力付与方向へ移動・固定可能な構造にしたが、上側のガイド部２のみを同様の構造にしても良く、両方を同様の構造にしても良い。また、開口２４の内面と、インサート部１２の外面の両方に傾斜面２８、３０を形成する例を示したが、他方側に当接してガイド部３を張力付与方向に移動させることができれば、傾斜面２８、３０はどちらか一方側だけでも良い。インサート部１２の挿入力を発生させる手段を兼ねながら、インサート部１２の挿入状態を保持する手段として、ボルト１３と雌ねじ部２９によるロック手段を例にしたが、例えばインサート部１２の開口２４内への押し込み状態をそのまま係合維持できるラチェット機構等を採用したロック手段でも良い。
【図面の簡単な説明】
【００３３】
【図１】本発明の一実施形態に係るワイヤ式ウインドウレギュレータを示す側面図。
【図２】図１のワイヤガイド構造を示す分解斜視図。
【図３】図２のワイヤガイド構造の張力付与前の状態を表側から見た斜視図。
【図４】図３のワイヤガイド構造の張力付与後の状態を表側から見た斜視図。
【図５】図２のワイヤガイド構造の張力付与前の状態を裏側から見た斜視図。
【図６】図３のワイヤガイド構造の張力付与後の状態を裏側から見た斜視図。
【図７】ベース部とボルトをセットした状態を示す図９相当の断面図。
【図８】ベース部とボルトとガイド部をセットした状態を示す図９相当の断面図。
【図９】図３中矢示ＳＡ−ＳＡ線に沿う断面図。
【図１０】図４中矢示ＳＢ−ＳＢ線に沿う断面図。
【図１１】図３中矢示ＳＣ−ＳＣ線に沿う断面図。
【図１２】図４中矢示ＳＤ−ＳＤ線に沿う断面図。
【符号の説明】
【００３４】
１  ガイドレール
３  ガイド部
７  ワイヤ
１１  ベース部
１２  インサート部
１３  ボルト（ロック手段）
１５  切起部
２４  開口
２８、３０  傾斜面
２９  雌ねじ部（ロック手段）
Ａ  長手方向
Ｂ  面直方向
【図１】
2007218044.tif 000003
【図２】
2007218044.tif 000004
【図３】
2007218044.tif 000005
【図４】
2007218044.tif 000006
【図５】
2007218044.tif 000007
【図６】
2007218044.tif 000008
【図７】
2007218044.tif 000009
【図８】
2007218044.tif 000010
【図９】
2007218044.tif 000011
【図１０】
2007218044.tif 000012
【図１１】
2007218044.tif 000013
【図１２】
2007218044.tif 000014